(57)【要約】【課題】視聴機会を向上させること。【解決手段】本願に係る配信装置は、利用者に関する情報に基づいて、当該利用者が購入していないコンテンツである未購入コンテンツを当該利用者に対して提供するか否かを判定する判定部と、前記未購入コンテンツを前記利用者に提供すると判定した場合は、当該利用者が購入したコンテンツの一覧画面上に、前記未購入コンテンツを表示させる提供制御部と、を有することを特徴とする。【選択図】図１
2018045429.tif 000002
【特許請求の範囲】
【請求項１】
利用者に関する情報に基づいて、当該利用者が購入していないコンテンツである未購入コンテンツを当該利用者に対して提供するか否かを判定する判定部と、
前記未購入コンテンツを前記利用者に提供すると判定した場合は、当該利用者が購入したコンテンツの一覧画面上に、前記未購入コンテンツを表示させる提供制御部と、
を有することを特徴とする配信装置。
【請求項２】
前記判定部は、前記利用者に関する情報として、当該利用者の購入履歴または当該利用者の視聴履歴の少なくともいずれか一方に基づいて、前記未購入コンテンツを当該利用者に提供するか否かを判定する
ことを特徴とする請求項１に記載の配信装置。
【請求項３】
前記判定部は、前記未購入コンテンツが前記利用者が購入したコンテンツと所定の関連性を有する場合は、当該未購入コンテンツを当該利用者に対して提供すると判定する
ことを特徴とする請求項１または２に記載の配信装置。
【請求項４】
前記判定部は、前記利用者が購入したコンテンツのうち、前記未購入コンテンツと所定の関係性を有するコンテンツを前記利用者が試聴済みである場合は、当該未購入コンテンツを当該利用者に対して提供すると判定する
ことを特徴とする請求項１〜３のうちいずれか１つに記載の配信装置。
【請求項５】
前記判定部は、前記未購入コンテンツと所定の関係性を有するコンテンツの全体を前記利用者が試聴済みである場合は、当該未購入コンテンツを当該利用者に対して提供すると判定する
ことを特徴とする請求項４に記載の配信装置。
【請求項６】
前記提供制御部は、前記利用者が使用する端末装置に前記未購入コンテンツを送信し、前記一覧画面上に当該未購入コンテンツを表示させる
ことを特徴とする請求項１〜５のうちいずれか１つに記載の配信装置。
【請求項７】
前記提供制御部は、前記未購入コンテンツのうち所定の範囲を前記利用者が使用する端末装置に送信し、前記一覧画面上に当該未購入コンテンツを表示させる
ことを特徴とする請求項６に記載の配信装置。
【請求項８】
前記提供制御部は、前記未購入コンテンツとして、所定の範囲まで視聴された際に当該未購入コンテンツの購入画面を表示させるコンテンツを送信する
ことを特徴とする請求項６または７に記載の配信装置。
【請求項９】
前記判定部は、前記未購入コンテンツとして、新規に配信が開始されたコンテンツを前記利用者に対して提供するか否かを判定する
ことを特徴とする請求項１〜８のうちいずれか１つに記載の配信装置。
【請求項１０】
前記提供制御部は、前記未購入コンテンツを前記利用者に提供すると判定した場合は、当該利用者が購入したコンテンツの一覧画面上に、前記未購入コンテンツのサムネイルを表示させる
ことを特徴とする請求項１〜９のうちいずれか１つに記載の配信装置。
【請求項１１】
利用者に関する情報に基づいて、当該利用者が購入していないコンテンツである未購入コンテンツを当該利用者に対して提供するか否かを判定する判定工程と、
前記未購入コンテンツを前記利用者に提供すると判定した場合は、当該利用者が購入したコンテンツの一覧画面上に、前記未購入コンテンツを表示させる提供制御工程と、
を含むことを特徴とする配信方法。
【請求項１２】
利用者に関する情報に基づいて、当該利用者が購入していないコンテンツである未購入コンテンツを当該利用者に対して提供するか否かを判定する判定手順と、
前記未購入コンテンツを前記利用者に提供すると判定した場合は、当該利用者が購入したコンテンツの一覧画面上に、前記未購入コンテンツを表示させる提供制御手順と、
をコンピュータに実行させるための配信プログラム。
【発明の詳細な説明】
【技術分野】
【０００１】
本発明は、配信装置、配信方法および配信プログラムに関する。
【背景技術】
【０００２】
近年、インターネットを介した情報配信が盛んに行われている。このような情報配信の一例として、電子書籍、音楽もしくは動画像等といったコンテンツを配信する技術が知られている。例えば、このような配信技術では、コンテンツのサムネイルをウェブサイト上で表示し、利用者が選択したコンテンツのデータを利用者の端末装置へと送信する。そして、利用者は、端末装置に配信されたコンテンツの中から、視聴するコンテンツを選択する。
【先行技術文献】
【特許文献】
【０００３】
【特許文献１】特開２０１２−１１３５９０号公報
【特許文献２】特開２０１５−１５８８１７号公報
【発明の概要】
【発明が解決しようとする課題】
【０００４】
しかしながら、上述した従来技術では、視聴機会を失う場合がある。
【０００５】
例えば、上述した従来技術では、利用者がウェブサイト上で選択したコンテンツを配信しているに過ぎない。このため、複数巻に渡る電子書籍や連続ドラマ等、所定の期間をおいて発行される複数のコンテンツについて、過去のコンテンツを視聴した利用者が新たなコンテンツの配信開始に気づかなかった場合は、新たなコンテンツの配信が行われず、視聴機会を失ってしまう場合がある。
【０００６】
本願は、上記に鑑みてなされたものであって、視聴機会を向上させることを目的とする。
【課題を解決するための手段】
【０００７】
本願に係る配信装置は、利用者に関する情報に基づいて、当該利用者が購入していないコンテンツである未購入コンテンツを当該利用者に対して提供するか否かを判定する判定部と、前記未購入コンテンツを前記利用者に提供すると判定した場合は、当該利用者が購入したコンテンツの一覧画面上に、前記未購入コンテンツを表示させる提供制御部と、を有することを特徴とする。
【発明の効果】
【０００８】
実施形態の一態様によれば、視聴機会を向上させる。
【図面の簡単な説明】
【０００９】
【図１】図１は、実施形態に係る配信装置が実行する配信処理の一例を示す図である。
【図２】図２は、実施形態に係る配信装置の構成例を示す図である。
【図３】図３は、実施形態に係る購入コンテンツデータベースに登録される情報の一例を示す図である。
【図４】図４は、実施形態に係る配信コンテンツデータベースに登録される情報の一例を示す図である。
【図５】図５は、実施形態に係る利用者情報データベースに登録される情報の一例を示す図である。
【図６】図６は、実施形態にかかる配信装置が実行する配信処理の流れの一例を示すフローチャートである。
【図７】図７は、ハードウェア構成の一例を示す図である。
【発明を実施するための形態】
【００１０】
以下に、本願に係る配信装置、配信方法および配信プログラムを実施するための形態（以下、「実施形態」と記載する。）について図面を参照しつつ詳細に説明する。なお、この実施形態により本願に係る配信装置、配信方法および配信プログラムが限定されるものではない。また、以下の各実施形態において同一の部位には同一の符号を付し、重複する説明は省略される。
【００１１】
［実施形態］
〔１−１．配信装置の一例〕
まず、図１を用いて、配信装置が実行する配信処理の一例について説明する。図１は、実施形態に係る配信装置が実行する配信処理の一例を示す図である。図１では、配信装置１０は、各種のコンテンツを配信する情報処理装置であり、例えば、クラウドシステムやサーバ装置等により実現される。また、配信装置１０は、インターネット等の所定のネットワークＮを介して、利用者Ｕ０１が使用する端末装置１００と通信可能である。
【００１２】
端末装置１００は、利用者Ｕ０１が使用する端末装置であり、例えば、スマートフォンやタブレット等といった携帯移動端末装置やＰＣ（Personal  Computer）端末、サーバ装置等により実現される。例えば、端末装置１００は、任意のコンテンツを表示可能な画面を有し、配信装置１０から配信を受付けたコンテンツを表示することで、利用者Ｕ０１にコンテンツに関する情報を提供することが可能である。
【００１３】
ここで、配信装置１０は、端末装置１００に対し、利用者Ｕ０１が購入した任意のコンテンツを配信可能である。例えば、配信装置１０は、漫画、雑誌、小説等といった書籍を電子化した電子書籍、音楽データ、映画等の動画像データといった各種のコンテンツを配信可能である。一方、端末装置１００は、配信対象となるコンテンツに対応する任意のアプリケーションを実行することで、配信されたコンテンツの視聴を実現する。例えば、端末装置１００は、電子書籍のリーダー機能を有するアプリケーションや、音楽データや動画像データを再生するアプリケーションを実行することで、各種コンテンツを利用者Ｕ０１が試聴できるようにする。
【００１４】
ここで、端末装置１００は、利用者Ｕ０１が購入したコンテンツの一覧画面を表示する。例えば、端末装置１００は、利用者Ｕ０１が端末装置１００または他の情報処理装置を介して購入したコンテンツをダウンロードする。このような場合、端末装置１００は、一覧画面上に、電子書籍の表紙の画像やアーティストの写真等、購入したコンテンツのサムネイルを表示する。そして、端末装置１００は、一覧画面にサムネイルを表示したコンテンツのうち、利用者が選択したサムネイルに対応するコンテンツの表示や再生を行うことで、コンテンツを利用者Ｕ０１に視聴させる。
【００１５】
なお、以下の説明では、利用者Ｕ０１が購入した電子書籍を端末装置１００へと配信し、端末装置１００が電子書籍を表示する処理について説明するが、実施形態は、これに限定されるものではない。すなわち、以下の説明は、電子書籍のみならず、音楽データや動画像データ、ゲーム等のアプリケーション等といった各種のコンテンツの配信に適用可能である。
【００１６】
〔１−２．配信処理について〕
ここで、上述した技術では、利用者が購入したコンテンツを端末装置１００に配信しているに過ぎないため、コンテンツの視聴機会が失われる場合がある。例えば、複数巻に渡る電子書籍や連続ドラマの動画像等、所定の期間をおいて継続して発行される複数のコンテンツ（以下、「継続コンテンツ」と記載する。）が知られている。このような継続コンテンツを視聴している利用者が、新たに配信が開始された継続コンテンツの存在に気付かなかった場合や、継続コンテンツを視聴していることを忘れている場合等には、新たに配信が開始された継続コンテンツが購入されず、視聴機会が失われる場合がある。
【００１７】
そこで、配信装置１０は、以下の配信処理を実行する。例えば、配信装置１０は、利用者Ｕ０１に関する情報に基づいて、利用者Ｕ０１が購入していないコンテンツである未購入コンテンツを利用者Ｕ０１に対して提供するか否かを判定する。そして、配信装置１０は、未購入コンテンツを利用者Ｕ０１に提供すると判定した場合は、利用者が購入した購入コンテンツの一覧画面上に、未購入コンテンツを表示させる。
【００１８】
例えば、配信装置１０は、新規に配信が開始された未購入コンテンツを利用者Ｕ０１に対して提供するか否かを判定する。そして、配信装置１０は、未購入コンテンツを利用者Ｕ０１に提供すると判定した場合は、未購入コンテンツのサムネイルを利用者Ｕ０１の端末装置１００へと送信し、利用者Ｕ０１が購入した購入コンテンツの一覧画面上に、未購入コンテンツのサムネイルを表示させる。
【００１９】
より具体的な例を挙げると、配信装置１０は、利用者Ｕ０１に関する情報に基づき、利用者Ｕ０１が未購入コンテンツに対して興味を有するか、未購入コンテンツを購入すると推定できるか否か、未購入コンテンツを配信した際に利用者Ｕ０１の印象が悪化するか否か等を判定する。そして、配信装置１０は、判定結果に基づいて、端末装置１００が表示する購入コンテンツの一覧画面上でプッシュ通知する。より具体的には、配信装置１０は、未購入コンテンツのサムネイルや未購入コンテンツのうち所定の範囲（例えば、冒頭部分）を含むサンプル等をプッシュ配信する。
【００２０】
上述したように、配信装置１０は、利用者Ｕ０１が視聴するであろうコンテンツを一覧画面上に表示させるので、利用者Ｕ０１が新規コンテンツや継続コンテンツのうち未購入のコンテンツ等を検索するといった手間を省くことができる。この結果、配信装置１０は、利用者が購入を忘ているコンテンツや新規コンテンツの存在を利用者に気づかせることができるので、コンテンツの視聴機会を向上させることができる。
【００２１】
〔１−３．判定態様について〕
ここで、配信装置１０は、利用者Ｕ０１に関する情報であれば、任意の情報に基づいて、未購入コンテンツの提供を判定して良い。例えば、配信装置１０は、利用者Ｕ０１の年齢、年代、性別、住所等といったデモグラフィック属性を示す情報や、好みのジャンル等といったサイコグラフィック属性等、利用者の属性情報に基づいて、未購入コンテンツの提供を判定して良い。
【００２２】
また、配信装置１０は、利用者Ｕ０１の購入履歴または利用者Ｕ０１の視聴履歴の少なくともいずれか一方に基づいて、未購入コンテンツを利用者Ｕ０１に提供するか否かを判定してもよい。また、例えば、配信装置１０は、未購入コンテンツが利用者Ｕ０１の購入コンテンツと所定の関連性を有する場合は、未購入コンテンツを利用者Ｕ０１に対して提供すると判定してもよい。例えば、配信装置１０は、購入コンテンツのうち、未購入コンテンツと所定の関係性を有するコンテンツを利用者Ｕ０１が試聴済みである場合は、未購入コンテンツを利用者に対して提供すると判定してもよい。より具体的には、配信装置１０は、未購入コンテンツと所定の関係性を有するコンテンツの全体を利用者Ｕ０１が試聴済みである場合は、未購入コンテンツを利用者Ｕ０１に対して提供すると判定してもよい。
【００２３】
ここで、未購入コンテンツと所定の関連性を有する購入コンテンツとは、例えば、未購入コンテンツと同じシリーズの電子書籍、未購入コンテンツと同じ作者の電子書籍、未購入コンテンツと同じ作曲家またはグループの音楽コンテンツ、未購入コンテンツと同じ監督の映画コンテンツ等である。また、未購入コンテンツと所定の関連性を有する購入コンテンツとは、例えば、スポーツ漫画やＳＦ（Science  Fiction）小説等、未購入コンテンツと同じジャンルの購入コンテンツである。すなわち、配信装置１０は、未購入コンテンツに利用者が興味を有するか否かの指標となりえる購入コンテンツを、未購入コンテンツと所定の関連性を有する購入コンテンツとする。
【００２４】
ここで、利用者Ｕ０１が同一シリーズの漫画や小説を初刊から継続して購入している場合には、新刊についても継続して購入すると予測される。また、例えば、利用者Ｕ０１が所定の作家の書籍を継続して購入している場合には、その作家の新刊についても継続して購入すると予測される。また、例えば、スポーツ関連の漫画や小説等、利用者Ｕ０１が所定のジャンルの漫画や小説を頻繁に購入している場合には、そのジャンルの未購入コンテンツを購入する可能性が高いと予測される。また、利用者Ｕ０１が所定の作曲家やグループの音楽コンテンツを継続して購入している場合には、その作曲家やグループの未購入コンテンツを購入する可能性が高いと予測される。
【００２５】
このように、利用者Ｕ０１の購入履歴は、利用者Ｕ０１が未購入コンテンツを購入するか否かを判定する指標となりえる。また、利用者Ｕ０１の購入した購入コンテンツの情報は、利用者Ｕ０１が未購入コンテンツについても興味を有するか否かを判定する指標となりえる。そこで、配信装置１０は、利用者Ｕ０１の購入履歴を参照し、未購入コンテンツが利用者Ｕ０１の購入コンテンツと所定の関連性を有する場合は、未購入コンテンツを利用者に対して提供すると判定してもよい。例えば、配信装置１０は、利用者が未購入コンテンツと同一シリーズの電子書籍を全て購入していた場合は、未購入コンテンツを配信すると判定してもよい。すなわち、配信装置１０は、利用者が未購入コンテンツに興味を有すると予測される場合や、購入する可能性が高い場合は、未購入コンテンツを配信すると判定してもよい。
【００２６】
なお、配信装置１０が配信するコンテンツには、同一内容の取引対象が存在する場合がある。例えば、電子書籍は、同一内容の書籍が販売される場合があり、音楽コンテンツや動画像コンテンツ等は、同一内容の記録媒体が販売される可能性がある。このため、利用者Ｕ０１が配信対象である新規コンテンツに興味を有するとしても、すでに同一内容の取引対象を購入していた場合には、新規コンテンツを購入しない可能性が高い。そこで、配信装置１０は、未購入コンテンツと同一内容の取引対象を利用者Ｕ０１が購入済みである場合は、未購入コンテンツを提供しないと判定してもよい。例えば、配信装置１０は、図示を省略したＥＣサーバ（Electronic  Commerce）等から、利用者Ｕ０１の購入履歴を取得し、未購入コンテンツと同一内容の取引対象を利用者Ｕ０１が購入済みであるか否かを判定してもよい。すなわち、配信装置１０は、配信装置１０が配信するコンテンツについての購入履歴のみならず、実世界において利用者Ｕ０１が購入した取引対象の履歴に基づいて、未購入コンテンツを提供するか否かを判定してもよい。
【００２７】
また、例えば、利用者Ｕ０１がどのコンテンツを視聴したか、コンテンツのどこまで視聴したかといった情報は、利用者Ｕ０１がどのようなコンテンツに興味を有するかを示す指標となりえる。例えば、利用者Ｕ０１がコンテンツの全体を視聴していた場合や、コンテンツを複数回視聴している場合には、そのコンテンツを利用者Ｕ０１が気に入っていると予測される。一方で、利用者Ｕ０１がコンテンツの視聴を途中でやめている場合や、コンテンツの視聴を途中でやめた後に、所定の期間が経過している場合には、そのコンテンツを気に入っていないと予測される。
【００２８】
このように、利用者Ｕ０１の視聴履歴は、利用者Ｕ０１が未購入コンテンツを購入するか否かを判定する指標となりえる。そこで、配信装置１０は、利用者Ｕ０１の視聴履歴を参照し、未購入コンテンツと所定の関連性を有する購入コンテンツの視聴履歴に基づいて、未購入コンテンツを提供するか否かを判定してもよい。例えば、配信装置１０は、未購入コンテンツと同一シリーズの購入コンテンツの全体をすべて閲覧している場合は、未購入コンテンツを利用者に対して提供すると判定してもよい。また、配信装置１０は、未購入コンテンツと同一シリーズの購入コンテンツであって、未購入コンテンツの前に配信が開示された購入コンテンツ（例えば、１つ前の巻）の全体を閲覧している場合や所定の範囲を閲覧している場合には、未購入コンテンツを利用者に対して提供すると判定してもよい。
【００２９】
〔１−４．配信態様について〕
ここで、配信装置１０は、任意の態様で、購入コンテンツの一覧画面上に未購入コンテンツを表示させればよい。例えば、配信装置１０は、利用者Ｕ０１に対して未購入コンテンツを提供すると判定した場合は、利用者Ｕ０１が利用する端末装置１００に対して未購入コンテンツのデータを配信し、購入コンテンツの一覧画面に表示させてもよい。また、例えば、配信装置１０は、未購入コンテンツとして、所定の範囲まで視聴された際に、未購入コンテンツの購入画面を表示させるコンテンツを送信してもよい。例えば、配信装置１０は、一覧画面上で利用者が未購入コンテンツのサムネイルを選択した際に、未購入コンテンツの購入画面へと表示を遷移させるように、端末装置１００に指示してもよい。
【００３０】
また、例えば、配信装置１０は、配信するコンテンツが電子書籍である場合は、最初の１０ページを閲覧した際に購入画面へと表示を遷移させる指示を、未購入コンテンツとともに配信してもよい。また、配信装置１０は、未購入コンテンツのうち所定の範囲を端末装置１００に送信し、一覧画面上に未購入コンテンツを表示させてもよい。例えば、配信装置１０は、未購入コンテンツのうち所定の範囲をサンプルとして抽出し、抽出したサンプルと、サンプルの全体を閲覧した際に未購入コンテンツの購入画面へと表示を遷移させる指示とを、端末装置１００へ配信してもよい。
【００３１】
なお、配信装置１０は、配信するコンテンツが音楽データや動画像データである場合は、冒頭の一部分やダイジェスト版等を端末装置１００へと配信してもよい。また、配信装置１０は、配信するコンテンツがゲーム等のアプリケーションである場合は、所謂試供版を端末装置１００へと配信してもよい。
【００３２】
また、配信装置１０は、端末装置１００に対して未購入コンテンツの全体や一部をプッシュ配信するとともに、未購入コンテンツの情報をメールやショートメッセージ等の形式で利用者Ｕ０１にプッシュ通知してもよい。例えば、配信装置１０は、未購入コンテンツをプッシュ配信した旨や、購入を促すメッセージを配信してもよい。
【００３３】
〔１−５．配信処理の一例について〕
次に、図１を用いて、配信装置１０が実行する配信処理の一例について説明する。なお、図１に示す例では、利用者Ｕ０１は、コンテンツ＃１−１、コンテンツ＃１−２、コンテンツ＃１−３、コンテンツ＃２−１、およびコンテンツ＃３−１を購入済みであるものとする。また、コンテンツ＃１−１〜＃１−４は、それぞれ同じシリーズのコンテンツ、すなわち、所定の関連性を有するコンテンツであるものとする。
【００３４】
例えば、端末装置１００は、利用者Ｕ０１の操作により、各コンテンツを閲覧するアプリケーションの立ち上げ等が行われた場合は、購入コンテンツの一覧画面Ｃ１０をひゅじする。より具体的には、端末装置１００は、購入コンテンツの一覧画面Ｃ１０に、コンテンツ＃１−１のサムネイルＣ１１、コンテンツ＃１−２のサムネイルＣ１２、コンテンツ＃１−３のサムネイルＣ１３、コンテンツ＃２−１のサムネイルＣ１４、およびコンテンツ＃３−１のサムネイルＣ１５を配置して表示する。
【００３５】
ここで、新規コンテンツとして、コンテンツ＃１−４の配信が開始されたものとする。このような場合、配信装置１０は、利用者Ｕ０１の購入履歴や視聴履歴に基づいて、未購入コンテンツであるコンテンツ＃１−４を配信するか否かを判定する（ステップＳ１）。例えば、配信装置１０は、利用者Ｕ０１の購入履歴や利用者Ｕ０１が各購入コンテンツをどこまで閲覧したかを示す視聴割合（すなわち、視聴履歴）を示す購入コンテンツデータベースを参照する。そして、配信装置１０は、利用者Ｕ０１がコンテンツ＃１−４と所定の関連性を有するコンテンツを購入しているか否か、利用者Ｕ０１がコンテンツ＃１−４の前に配信されたコンテンツを全て閲覧しているか否か等に基づいて、コンテンツ＃１−４を利用者Ｕ０１に提供するか判定する。
【００３６】
ここで、図１に示す例では、利用者Ｕ０１は、コンテンツ＃１−４と同じシリーズのコンテンツであるコンテンツ＃１−１〜＃１−３を全て購入している。また、図１に示す例では、コンテンツ＃１−１〜＃１−３の視聴割合が全て１００パーセントであるため、利用者Ｕ０１が、コンテンツ＃１−１〜＃１−３の全体を閲覧したと判定できる。このような場合、配信装置１０は、利用者Ｕ０１がコンテンツ＃１−４を購入する可能性が高いと判定する。そして、配信装置１０は、未購入コンテンツであるコンテンツ＃１−４のサンプルを端末装置１００へと送信し、一覧画面Ｃ１０に未購入コンテンツであるコンテンツＣ＃１−４を表示させる（ステップＳ２）。この結果、端末装置１００は、未購入コンテンツであるコンテンツ＃１−４のサムネイルＣ１６を一覧画面Ｃ１０に表示する（ステップＳ３）。
【００３７】
また、端末装置１００は、利用者Ｕ０１がサムネイルＣ１６を選択した場合は、コンテンツ＃１−４のサンプルを表示する。また、端末装置１００は、利用者Ｕ０１がコンテンツ＃１−４のうち所定の範囲まで視聴した場合は、未購入コンテンツであるコンテンツ＃１−４の購入画面を表示する（ステップＳ４）。そして、端末装置１００は、利用者Ｕ０１がコンテンツ＃１−４の購入を指示した場合は、コンテンツ＃１−４の購入リクエストを配信装置１０へと送信する（ステップＳ５）。
【００３８】
このような場合、配信装置１０は、未購入コンテンツであるコンテンツ＃１−４の購入処理を実行する（ステップＳ６）。例えば、配信装置１０は、コンテンツ＃１−４を購入コンテンツとして利用者Ｕ０１と対応付ける。そして、配信装置１０は、コンテンツ＃１−４を購入コンテンツとして端末装置１００へ配信する（ステップＳ７）。
【００３９】
このように、配信装置１０は、利用者Ｕ０１に関する情報に基づいて、未購入コンテンツを提供するか否かを判定し、提供すると判定した場合は、購入コンテンツの一覧画面Ｃ１０に、未購入コンテンツを表示させる。この結果、配信装置１０は、利用者Ｕ０１に、未購入コンテンツの存在を気づかせることができるので、視聴機会を向上させることができる。
【００４０】
〔２．配信装置の構成〕
以下、上記した配信処理を実現する配信装置１０が有する機能構成の一例について説明する。図２は、実施形態に係る配信装置の構成例を示す図である。図２に示すように、配信装置１０は、通信部２０、記憶部３０、および制御部４０を有する。
【００４１】
通信部２０は、例えば、ＮＩＣ（Network  Interface  Card）等によって実現される。そして、通信部２０は、ネットワークＮと有線または無線で接続され、端末装置１００との間で情報の送受信を行う。
【００４２】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、購入コンテンツデータベース３１、配信コンテンツデータベース３２、および利用者情報データベース３３（以下、「各データベース３１〜３３」と総称する場合がある。）を記憶する。
【００４３】
購入コンテンツデータベース３１には、利用者Ｕ０１の購入コンテンツを示す情報が登録される。例えば、図３は、実施形態に係る購入コンテンツデータベースに登録される情報の一例を示す図である。図３に示すように、購入コンテンツデータベース３１には、「利用者ＩＤ（Identifier）」、「購入コンテンツ」および「視聴割合」等といった項目を有する情報が登録されている。
【００４４】
ここで、「利用者ＩＤ」とは、購入コンテンツを購入した利用者を示す識別子である。また「購入コンテンツ」とは、対応付けられた利用者ＩＤが示す利用者によって購入されたコンテンツ、すなわち、購入コンテンツを識別するための識別子である。また、「視聴割合」とは、対応付けられた購入コンテンツのうち、対応付けられた利用者ＩＤが示す利用者によって視聴が行われた割合を示す情報であり、視聴履歴の一例である。
【００４５】
例えば、図３に示す例では、利用者ＩＤ「利用者＃Ｕ０１」、購入コンテンツ「コンテンツ＃１−１」および視聴割合「１００パーセント」が対応付けて登録されている。このような情報は、「利用者＃Ｕ０１」が示す視聴者が「コンテンツ＃１−１」が示すコンテンツを購入済みであり、そのコンテンツのうち「利用者＃Ｕ０１」が示す利用者によって視聴された割合が「１００パーセント」、すなわち、全部である旨を示す。
【００４６】
なお、図３に示す例では、「利用者＃Ｕ０１」、「コンテンツ＃１−１」等といった概念的な値を記載したが、実際には、各項目を示すテキストや数値等が登録されることとなる。また、購入コンテンツデータベース３１には、「視聴割合」以外にも、例えば、利用者Ｕ０１が購入コンテンツを視聴した回数である「視聴回数」や、視聴した日時を示す「視聴日時」といった情報、すなわち、視聴履歴が登録されているものとする。
【００４７】
図２に戻り、説明を続ける。配信コンテンツデータベース３２は、配信コンテンツに関する各種の情報が登録される。例えば、図４は、実施形態に係る配信コンテンツデータベースに登録される情報の一例を示す図である。図４に示すように、配信コンテンツデータベース３２には、「コンテンツＩＤ」および「コンテンツ情報」といった項目を有する情報が登録されている。
【００４８】
ここで、「コンテンツＩＤ」とは、コンテンツを示すための識別子であり、図３に示す「購入コンテンツ」と同じ情報である。また、「コンテンツ情報」とは、対応付けられた「コンテンツＩＤ」が示すコンテンツの情報である。例えば、「コンテンツ情報」は、コンテンツの著者、作者、作曲者、演奏者、出版社等といった権利者の情報である。また、例えば、「コンテンツ情報」は、どのシリーズに属するコンテンツであるか、いくつ目（例えば、巻数）のコンテンツであるか、どのようなジャンル（例えば、ＳＦであるか、ミステリーであるか）のコンテンツであるか等を示す情報である。また、「コンテンツ情報」は、コンテンツの配信開始日時や、同一内容の取引対象、価格、形態（例えば、小説であるか雑誌であるか）等といった情報である。なお、上述した情報以外にもコンテンツに関する情報であるならば、任意の情報が「コンテンツ情報」として配信コンテンツデータベース３２に登録されていてよい。
【００４９】
例えば、図４に示す例では、コンテンツＩＤ「コンテンツ＃１−４」およびコンテンツ情報「コンテンツ情報＃１−４」といった情報が対応付けて登録されている。このような情報は、「コンテンツ＃１−４」が示すコンテンツ情報が「コンテンツ情報＃１−４」である旨を示す。
【００５０】
なお、図３に示す例では、「コンテンツ情報＃１−１」等といった概念的な値を記載したが、実際には、コンテンツ情報を示す各種のテキストや数値等が登録されることとなる。また、配信コンテンツデータベース３２には、図４に示す項目以外にも、任意の項目を有する情報が登録されていてよい。また、配信装置１０は、コンテンツを配信する権利を有する権利者によって、図示を省略した所定の情報処理装置から配信対象となるコンテンツの登録を受付けると、登録されたコンテンツを配信コンテンツデータベース３２に登録することとなる。
【００５１】
図２に戻り、説明を続ける。利用者情報データベース３３は、利用者に関する各種の情報、すなわち、利用者情報が登録されている。例えば、図５は、実施形態に係る利用者情報データベースに登録される情報の一例を示す図である。図５に示すように、利用者情報データベース３３には、「利用者ＩＤ」、「性別」、「年代」、「住所」、「端末装置」、および「購入履歴」等といった項目を有する情報が登録されている。
【００５２】
ここで、「性別」、「年代」、「住所」、「端末装置」、および「購入履歴」は、対応付けられた「利用者ＩＤ」が示す利用者の利用者情報であり、それぞれ利用者の性別、年代、住所、利用者が使用する端末装置、および購入履歴を示す情報である。なお、図５に示す例では、「性別＃Ｕ０１」、「年代＃Ｕ０１」、「住所＃Ｕ０１」、「端末装置＃Ｕ０１」、および「購入履歴＃Ｕ０１」等といった概念的な値を記載したが、実際には、利用者情報を示す各種のテキストや数値等が登録されることとなる。
【００５３】
図２に戻り、説明を続ける。制御部４０は、コントローラ（controller）であり、例えば、ＣＰＵ（Central  Processing  Unit）、ＭＰＵ（Micro  Processing  Unit）等のプロセッサによって、配信装置１０内部の記憶装置に記憶されている各種プログラムがＲＡＭ等を作業領域として実行されることにより実現される。また、制御部４０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００５４】
図２に示すように、制御部４０は、判定部４１、提供制御部４２、決済受付部４３、および配信部４４を有する。
【００５５】
判定部４１は、利用者Ｕ０１に関する情報に基づいて、当該利用者Ｕ０１が購入していないコンテンツである未購入コンテンツを利用者Ｕ０１に対して提供するか否かを判定する。例えば、判定部４１は、未購入コンテンツとして、新規に配信が開始されたコンテンツ（すなわち、新規コンテンツ）を利用者Ｕ０１に対して提供するか否かを判定する。
【００５６】
例えば、判定部４１は、利用者Ｕ０１に関する情報として、利用者Ｕ０１の購入履歴または利用者Ｕ０１の視聴履歴の少なくともいずれか一方に基づいて、未購入コンテンツを利用者Ｕ０１に提供するか否かを判定する。また、判定部４１は、未購入コンテンツが利用者Ｕ０１の購入コンテンツと所定の関連性を有する場合は、未購入コンテンツを利用者Ｕ０１に対して提供すると判定する。例えば、判定部４１は、利用者Ｕ０１の購入コンテンツのうち、未購入コンテンツと所定の関係性を有するコンテンツを利用者Ｕ０１が試聴済みである場合は、未購入コンテンツを利用者Ｕ０１に対して提供すると判定する。より具体的には、判定部４１は、未購入コンテンツと所定の関係性を有するコンテンツの全体を利用者Ｕ０１が試聴済みである場合は、未購入コンテンツを利用者Ｕ０１に対して提供すると判定する。
【００５７】
以下、判定部４１が実行する判定処理の一例について説明する。なお、判定部４１は、各利用者ごとに、所定の時間間隔で、以下の判定処理を実行するものとする。また、以下の説明では、利用者Ｕ０１に対して未購入コンテンツを配信するか否かを判定する判定処理の一例について説明する。例えば、判定部４１は、購入コンテンツデータベース３１を参照し、利用者Ｕ０１の利用者ＩＤ「利用者＃Ｕ０１」と対応付けられた購入コンテンツのコンテンツＩＤを抽出する。続いて、判定部４１は、配信コンテンツデータベース３２を参照し、購入コンテンツデータベース３１から抽出しなかったコンテンツＩＤ、すなわち、利用者Ｕ０１が購入していない未購入コンテンツのコンテンツＩＤを特定する。
【００５８】
続いて、判定部４１は、未購入コンテンツのコンテンツＩＤと対応付けられたコンテンツＩＤと対応付けられたコンテンツ情報と、利用者Ｕ０１の購入コンテンツのコンテンツＩＤと対応付けられたコンテンツ情報とを比較する。そして、判定部４１は、比較結果に基づいて、未購入コンテンツのうち、利用者Ｕ０１の購入コンテンツと所定の関係性を有する未購入コンテンツを特定する。例えば、判定部４１は、購入コンテンツと同じシリーズの未購入コンテンツを特定する。
【００５９】
また、判定部４１は、利用者情報データベース３３から購入履歴等の利用者情報を抽出するとともに、購入コンテンツデータベース３１から視聴履歴を抽出する。そして、判定部４１は、抽出した利用者情報や視聴履歴に基づいて、利用者Ｕ０１の購入コンテンツと所定の関係性を有する未購入コンテンツごとに、利用者Ｕ０１に対して提供するか否かを判定する。例えば、判定部４１は、未購入コンテンツと同一シリーズのコンテンツを利用者Ｕ０１が全て購入済みであり、かつ、利用者Ｕ０１がそれらのコンテンツを全て視聴している場合は、未購入コンテンツを提供すると判定してもよい。また、判定部４１は、例えば、利用者情報に基づいて、未購入コンテンツを利用者が購入する確率が高いと推定される場合は、未購入コンテンツを提供すると判定してもよい。また、判定部４１は、購入履歴が、未購入コンテンツと同一内容の取引対象を利用者Ｕ０１が購入済みである旨を示す場合は、未購入コンテンツを提供しないと判定してもよい。
【００６０】
提供制御部４２は、未購入コンテンツを利用者Ｕ０１に提供すると判定した場合は、利用者Ｕ０１の購入コンテンツの一覧画面Ｃ１０上に、未購入コンテンツを表示させる。例えば、提供制御部４２は、判定部４１が未購入コンテンツを利用者Ｕ０１に提供すると判定した場合は、利用者Ｕ０１の利用者ＩＤと対応付けられた携帯端末の識別子を利用者情報データベース３３から特定する。そして、提供制御部４２は、特定した識別子が示す端末装置、すなわち端末装置１００に対し、利用者Ｕ０１に提供すると判定された未購入コンテンツを配信する。
【００６１】
より具体的には、提供制御部４２は、利用者Ｕ０１が使用する端末装置１００に未購入コンテンツを送信し、一覧画面Ｃ１０上に未購入コンテンツを表示させる。なお、提供制御部４２は、未購入コンテンツのうち所定の範囲を端末装置１００に送信し、一覧画面Ｃ１０上に未購入コンテンツを表示させてもよい。すなわち、提供制御部４２は、未購入コンテンツのサンプルを送信してもよい。また、提供制御部４２は、未購入コンテンツとして、所定の範囲まで視聴された際に未購入コンテンツの購入画面を表示させるコンテンツを送信してもよい。
【００６２】
決済受付部４３は、未購入コンテンツの決済処理を受付ける。例えば、端末装置１００は、利用者が未購入コンテンツを決済する旨の操作を行った場合は、未購入コンテンツの購入リクエストを配信装置１０へと送信する。このような場合、決済受付部４３は、未購入コンテンツの各種決済処理を実行する。例えば、決済受付部４３は、図示を省略した決済サーバ等と連携して、利用者Ｕ０１に対して未購入コンテンツの決済額を課金するとともに、決済対象となった未購入コンテンツのコンテンツＩＤと、利用者Ｕ０１の利用者ＩＤとを対応付けて購入コンテンツデータベース３１に登録する。
【００６３】
配信部４４は、決済が行われた未購入コンテンツを購入コンテンツとして端末装置１００へと配信する。例えば、配信部４４は、決済受付部４３によって、未購入コンテンツの決済処理が完了した場合は、決済対象となった未購入コンテンツの全データを視聴可能な形式で端末装置１００へと配信する。
【００６４】
〔３．配信処理の流れの一例〕
続いて、図６を用いて、配信装置１０が実行する配信処理の流れについて説明する。図６は、実施形態にかかる配信装置が実行する配信処理の流れの一例を示すフローチャートである。なお、配信装置１０は、図６に示す処理を、所定の時間間隔で、各利用者について実行する。
【００６５】
例えば、配信装置１０は、未購入コンテンツを配信するか否かを判定する利用者として利用者Ｕ０１を選択し（ステップＳ１０１）、未購入コンテンツを特定する（ステップＳ１０２）。また、配信装置１０は、利用者Ｕ０１の購入コンテンツと未購入コンテンツとが所定の関連性を有するか否かを判定し（ステップＳ１０３）、有すると判定した場合は（ステップＳ１０３：Ｙｅｓ）、利用者Ｕ０１に関する情報（例えば、閲覧履歴、購入履歴、利用者情報等）に基づいて、未購入コンテンツを提供するか否かを判定する（ステップＳ１０４）。そして、配信装置１０は、未購入コンテンツを提供すると判定した場合は（ステップＳ１０５：Ｙｅｓ）、未購入コンテンツを利用者Ｕ０１の端末装置に送信し、購入済みコンテンツの一覧画面Ｃ１０に表示させて（ステップＳ１０６）、処理を終了する。一方、配信装置１０は、未購入コンテンツと購入コンテンツとが所定の関係性を有しない場合や（ステップＳ１０３：Ｎｏ）、未購入コンテンツを提供しないと判定した場合は（ステップＳ１０５：Ｎｏ）、処理を終了する。
【００６６】
〔４．変形例〕
上記では、配信装置１０による配信処理の一例について説明した。しかしながら、実施形態は、これに限定されるものではない。以下、配信装置１０が実行する配信処理のバリエーションについて説明する。 
【００６７】
〔４−１．判定内容について〕
上述した説明では、配信装置１０は、利用者Ｕ０１の購入コンテンツと同じシリーズであるか、利用者Ｕ０１が同じシリーズの購入コンテンツをどの程度視聴したか等といった情報に基づき、未購入コンテンツの提供を判定した。しかしながら、実施形態は、これに限定されるものではない。例えば、配信装置１０は、利用者Ｕ０１が頻繁にコンテンツを購入するジャンルの未購入コンテンツであるか否か等に基づいて、判定を行ってもよい。また、配信装置１０は、利用者Ｕ０１の購入コンテンツに対する評価に基づいて、判定を行ってもよい。例えば、配信装置１０は、利用者Ｕ０１が所定の閾値よりも高い評価を行った購入コンテンツと類似する未購入コンテンツであるか否かに基づいて、判定を行ってもよい。
【００６８】
すなわち、配信装置１０は、利用者Ｕ０１に関する任意の情報に基づいて、任意の判定態様で、未購入コンテンツを提供するか否か判定してもよい。例えば、配信装置１０は、利用者Ｕ０１に関する任意の情報に基づいて、未購入コンテンツを購入する可能性が所定の閾値よりも高いか否か、未購入コンテンツを利用者Ｕ０１が気にいる可能性が高いか否か等を判定し、利用者Ｕ０１が未購入コンテンツを購入する可能性が高い場合や気に入る可能性が高い場合には、提供すると判定してもよい。
【００６９】
〔４−２．装置構成〕
配信装置１０は、複数の装置が協調することにより、上述した配信処理や学習処理を実現してもよい。例えば、配信装置１０は、フロントエンドサーバとバックエンドサーバとが強調して動作してもよい。より具体的には、配信装置１０は、端末装置１００に対して購入コンテンツを配信するフロントエンドサーバと、利用者Ｕ０１に未購入コンテンツを配信するか否かを判定する判定サーバとが強調して動作することで、上述した配信処理を実行してもよい。このような場合、フロントエンドサーバは、図２に示す提供制御部４２、決済受付部４３、および配信部４４を有し、バックエンドサーバは、判定部４１を有することとなる。
【００７０】
また、記憶部３０に格納された各データベース３１〜３３は、配信装置１０の内部ではなく、例えば、外部のストレージサーバ等に格納されていてもよい。
【００７１】
〔４−３．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００７２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７３】
また、上記してきた各実施形態は、処理内容を矛盾させない範囲で適宜組み合わせることが可能である。
【００７４】
〔５．プログラム〕
また、上述してきた実施形態に係る配信装置１０は、例えば図７に示すような構成のコンピュータ１０００によって実現される。図７は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００７５】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【００７６】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００７７】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００７８】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００７９】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００８０】
例えば、コンピュータ１０００が配信装置１０として機能する場合、コンピュータ１０００の演算装置１０３０は、一次記憶装置１０４０上にロードされたプログラムを実行することにより、制御部４０の機能を実現する。
【００８１】
〔６．効果〕
上述したように、配信装置１０は、利用者Ｕ０１に関する情報に基づいて、利用者Ｕ０１が購入していないコンテンツである未購入コンテンツを利用者Ｕ０１に対して提供するか否かを判定する。そして、配信装置１０は、未購入コンテンツを利用者Ｕ０１に提供すると判定した場合は、利用者Ｕ０１の購入コンテンツの一覧画面Ｃ１０に、未購入コンテンツを表示させる。この結果、配信装置１０は、例えば、新たに配信された継続コンテンツの存在を利用者に気づかせることができるので、コンテンツの閲覧機会を向上させることができる。
【００８２】
また、配信装置１０は、利用者Ｕ０１に関する情報として、利用者Ｕ０１の購入履歴または利用者Ｕ０１の視聴履歴の少なくともいずれか一方に基づいて、未購入コンテンツを利用者Ｕ０１に提供するか否かを判定する。このため、配信装置１０は、例えば、利用者Ｕ０１が購入する可能性が高い未購入コンテンツや気に入る可能性が高い未購入コンテンツを提供することができるので、利用者Ｕ０１の印象を悪化させることなく、コンテンツの閲覧機会を向上させることができる。
【００８３】
また、例えば、配信装置１０は、未購入コンテンツが利用者Ｕ０１の購入コンテンツと所定の関連性を有する場合は、未購入コンテンツを利用者Ｕ０１に対して提供すると判定する。また、例えば、配信装置１０は、利用者Ｕ０１の購入コンテンツのうち、未購入コンテンツと所定の関係性を有するコンテンツを利用者Ｕ０１が試聴済みである場合は、未購入コンテンツを利用者Ｕ０１に対して提供すると判定する。また、例えば、配信装置１０は、未購入コンテンツと所定の関係性を有するコンテンツの全体を利用者Ｕ０１が試聴済みである場合は、未購入コンテンツを利用者Ｕ０１に対して提供すると判定する。このため、配信装置１０は、利用者Ｕ０１が購入する可能性が高い未購入コンテンツや気に入る可能性が高い未購入コンテンツを提供することができる。
【００８４】
また、配信装置１０は、利用者Ｕ０１が使用する端末装置１００に未購入コンテンツを送信し、一覧画面Ｃ１０に未購入コンテンツを表示させる。例えば、配信装置１０は、未購入コンテンツのうち所定の範囲を利用者Ｕ０１が使用する端末装置に送信し、一覧画面Ｃ１０上に未購入コンテンツを表示させる。このため、配信装置１０は、利用者Ｕ０１に未購入コンテンツの存在を気づかせることができる。
【００８５】
また、配信装置１０は、未購入コンテンツとして、所定の範囲まで視聴された際に未購入コンテンツの購入画面を表示させるコンテンツを送信する。このため、配信装置１０は、利用者Ｕ０１を未購入コンテンツの購入に誘導することができる。
【００８６】
また、配信装置１０は、未購入コンテンツとして、新規に配信が開始されたコンテンツを利用者Ｕ０１に対して提供するか否かを判定する。このため、配信装置１０は、新規なコンテンツの存在を利用者に気づかせる結果、コンテンツの閲覧機会を向上させることができる。
【００８７】
また、配信装置１０は、未購入コンテンツを利用者Ｕ０１に提供すると判定した場合は、利用者Ｕ０１の購入コンテンツの一覧画面Ｃ１０上に、未購入コンテンツのサムネイルを表示させる。このため、配信装置１０は、利用者Ｕ０１に未購入コンテンツの存在を気づかせることができる。
【００８８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００８９】
また、上記してきた「部（section、module、unit）」は、「手段」や「回路」などに読み替えることができる。例えば、分類部は、分類手段や分類回路に読み替えることができる。
【符号の説明】
【００９０】
１０  配信装置
２０  通信部
３０  記憶部
３１  購入コンテンツデータベース
３２  配信コンテンツデータベース
３３  利用者情報データベース
４０  制御部
４１  判定部
４２  提供制御部
４３  決済受付部
４４  配信部
１００  端末装置
【図１】
2018045429.tif 000003
【図２】
2018045429.tif 000004
【図３】
2018045429.tif 000005
【図４】
2018045429.tif 000006
【図５】
2018045429.tif 000007
【図６】
2018045429.tif 000008
【図７】
2018045429.tif 000009